(57)【要約】【課題】深みのある鮮やかな色彩の模様が得られるようにする。【解決手段】メガネフレームの枠、ブリッジ、ヨロイ、テンプル等を構成するメガネフレーム用部品１であって、金属製の基材２と、基材２の表面に積層されるとともに、レーザ加工によって所定のパターンの溝４が、この溝４の底面に基材２の地肌を露出させた状態で刻設される樹脂製のマーキング層３とを備える。マーキング層３の表面側からマーキング層３の溝４及び溝４の底面の基材２を目視することにより、溝４の形状に対応した模様が得られるとともに、マーキング層３の色彩、基材２の色彩等が相俟って、深みのある鮮やかな色彩の模様が得られることになる。【選択図】　　　　図１
0003096995.tif 000002
【実用新案登録請求の範囲】
【請求項１】
メガネフレームの枠、ブリッジ、ヨロイ、テンプル等を構成するメガネフレーム用部品であって、金属製の基材と、該基材の表面に積層されるとともに、レーザ加工によって所定のパターンの溝が該溝の底面に前記基材の地肌を露出させた状態で刻設される樹脂製のマーキング層とを備えてなることを特徴とするメガネフレーム用部品。
【請求項２】
前記マーキング層の表面に樹脂製の被覆層を積層してなることを特徴とする請求項１に記載のメガネフレーム用部品。
【請求項３】
前記基材と前記マーキング層との間にアクリル樹脂層を介装してなることを特徴とする請求項１又は２に記載のメガネフレーム用部品。
【請求項４】
前記被覆層は、透明又は半透明樹脂からなることを特徴とする請求項２又は３に記載のメガネフレーム用部品。
【請求項５】
前記被覆層に顔料を添加したことを特徴とする請求項４に記載のメガネフレーム用部品。
【請求項６】
前記マーキング層は、エポキシ系樹脂、アクリル系樹脂、又はウレタン系樹脂からなることを特徴とする請求項１から５の何れかに記載のメガネフレーム用部品。
【考案の詳細な説明】
【０００１】
【考案の属する技術分野】
本考案は、枠、ブリッジ、ヨロイ、テンプル等のメガネフレーム用部品に関し、特に、模様を付したメガネフレーム用部品に関するものである。
【０００２】
【従来の技術】
従来、枠、ブリッジ、ヨロイ、テンプル等のメガネフレーム用部品の表面に着色、印刷、エッチング等によって模様、色彩を付したものが知られている。また、メガネフレーム用部品の表面にレーザを照射して変色させ、この変色させた部分で所定のパターンの模様、色彩を構成するようにしたものも知られている（例えば、特許文献１参照。）。
【０００３】
さらに、メガネフレーム用部品の表面に透明層を設け、この透明層内に不透明層を形成し、透明層の表面から不透明層にレーザを照射して不透明層の表面を変色させ、変色させた部分により模様、色彩を構成するようにしたものも知られている（例えば、特許文献２参照。）。
【０００４】
【特許文献１】
特開昭５４−５６５７６号公報
【特許文献２】
実開平５−３３１２２号公報
【０００５】
【考案が解決しようとする課題】
ところで、上記のような各種のメガネフレーム用部品のうち、着色、印刷、エッチングによって模様、色彩を付したもの、及び特許文献１に記載されているような表面にレーザによって変色を加えて模様、色彩を付したものは、メガネフレーム用部品の表面のみに模様、色彩が付されているため、立体感に欠け、深みのある鮮やかな色彩の模様とすることができない。また、極め細やかな模様とすることもできない。
【０００６】
一方、特許文献２に記載されているようなメガネフレーム用部品は、透明層内の不透明層の表面に模様、色彩を付しているので、ある程度深みのある模様、色彩を得ることはできるが、これでも十分ではない。また、極め細やかな模様を得ることはできない。
【０００７】
本考案は、上記のような従来の問題を解決したものであって、深みのある鮮やかな色彩の模様が得られるとともに、極め細やかな模様が得られるメガネフレーム用部品を提供することを目的とするものである。
【０００８】
【課題を解決するための手段】
上記のような課題を解決するために、本考案の請求項１に係るメガネフレーム用部品は、メガネフレームの枠、ブリッジ、ヨロイ、テンプル等を構成するメガネフレーム用部品であって、金属製の基材と、該基材の表面に積層されるとともに、レーザ加工によって所定のパターンの溝が該溝の底面に前記基材の地肌を露出させた状態で刻設される樹脂製のマーキング層とを備えてなる手段を採用している。
また、本考案の請求項２に係るメガネフレーム用部品は、請求項１に記載のメガネフレーム用部品において、前記マーキング層の表面に樹脂製の被覆層を積層してなる手段を採用している。
さらに、本考案の請求項３に係るメガネフレーム用部品は、請求項１又は２に記載のメガネフレーム用部品において、前記基材と前記マーキング層との間にアクリル樹脂層を介装してなる手段を採用している。
さらに、本考案の請求項４に係るメガネフレーム用部品は、請求項２又は３に記載のメガネフレーム用部品において、前記被覆層は、透明又は半透明樹脂からなる手段を採用している。
さらに、本考案の請求項５に係るメガネフレーム用部品は、請求項４に記載のメガネフレーム用部品において、前記被覆層に顔料を添加した手段を採用している。
さらに、本考案の請求項６に係るメガネフレーム用部品は、請求項１から５の何れかに記載のメガネフレーム用部品において、前記マーキング層は、エポキシ系樹脂、アクリル系樹脂、又はウレタン系樹脂からなる手段を採用している。
【０００９】
【作用】
本考案は、上記のような手段を採用したことにより、マーキング層の表面にレーザ加工によって形成した溝の底面に基材の地肌が直接に又はアクリル樹脂層を介して露出し、この溝をマーキング層の表面から直接に又は被覆層を介して目視することにより、溝のパターンに対応した模様が得られることになる。この場合、マーキング層の色彩、基材の色彩、アクリル樹脂層の色彩等が相俟って、深みのある鮮やかな色彩の模様が得られることになる。
【００１０】
【考案の実施の形態】
以下、図面を参照しつつ、本考案の実施の形態について説明する。
図１及び図２には、本考案によるメガネフレーム用部品の第１の実施の形態が示されていて、このメガネフレーム用部品１は、メガネフレームのテンプルに適用したものであって、金属からなる基材２と、基材２の表面に積層される樹脂からなるマーキング層３とを備えている。
【００１１】
基材２は、ニッケル合金、ベリリューム銅、金、チタン合金、ニッケル・チタン合金等の各種の金属から形成されるものであって、薄板状、丸棒状等に形成され、この基材２の表面の一部にマーキング層３が設けられるようになっている。
【００１２】
マーキング層３は、エポキシ系樹脂、アクリル系樹脂、ウレタン系樹脂等の合成樹脂から形成されるものであって、基材２の表面の一部に積層手段（塗布）によって所定の厚みで積層されるようになっている。
【００１３】
マーキング層３は、素材に顔料を混入させて素材自体に着色しても良いし、基材２の表面に積層した後に表面に塗料を塗布して着色しても良い。この場合、一色又は二色以上の色を付すことができる。
【００１４】
マーキング層３の表面の一部には、レーザビーム加工により所定のパターンの溝４が形成されている。この場合、レーザの出力を調整することにより、溝４に対応する部分のマーキング層３の部分を完全に除去し、溝４の底面に基材２の地肌を露出させている。溝４は、各種の文字、模様等とすることができる。この実施の形態においては格子状の模様としている。
【００１５】
レーザビーム加工に使用するレーザとしては、ＣＯ２レーザ、Ａｒレーザ、ＹＡＧレーザ等のレーザが挙げられ、この実施の形態においてはＣＯ２レーザを使用している。但し、これら以外のレーザであっても良い。
【００１６】
上記のように構成したこの実施の形態によるメガネフレーム用部品１にあっては、基材２の表面にマーキング層３を積層し、マーキング層３にレーザ加工によって所定のパターンの溝４を形成し、溝４の底面に基材２の地肌を露出させるように構成したので、マーキング層３の表面側からマーキング層３の格子状の溝４及び溝４の底面の基材２の地肌を目視できることになる。従って、溝４の形状に対応した立体感のある格子状の模様が得られるとともに、マーキング層３の色彩、基材２の色彩等が相俟って、深みのある鮮やかな色彩の格子状の模様が得られることになる。さらに、レーザ加工による極め細やかな模様を得ることができることになる。
【００１７】
図３には、本考案によるメガネフレーム用部品の第２の実施の形態が示されていて、このメガネフレーム用部品１は、マーキング層３の表面に樹脂からなる被覆層５を積層したものであって、その他の構成は前記第１の実施の形態に示すものと同様である。
【００１８】
被覆層５は、マーキング層３の表面に所定のパターンの溝４を形成した後に、マーキング層３の表面に積層手段（塗布）によって所定の厚みで設けられるものであって、透明又は半透明の樹脂が用いられる。この場合、樹脂に顔料等を混入させて色を付しても良い。但し、マーキング層３の表面を透過可能な色に制限される。
【００１９】
そして、この実施の形態に示すメガネフレーム用部品１にあっても、基材２の表面にマーキング層３を積層し、マーキング層３にレーザ加工によって所定のパターンの溝４を形成し、溝４の底面に基材２の地肌を露出させ、このマーキング層３の表面に透明又は半透明樹脂からなる被覆層５を積層したので、被覆層５の表面側から被覆層５を透過してマーキング層３の格子状の溝４及び溝４の底面の基材２の地肌を目視することができることになる。従って、溝４の形状に対応した立体感のある格子状の模様が得られるとともに、被覆層５の色彩、マーキング層３の色彩、基材２の色彩等が相俟って、深みのある鮮やかな色彩の格子状の模様が得られることになる。さらに、レーザ加工による極め細やかな模様を得ることができる。
【００２０】
図４には、本考案によるメガネフレーム用部品の第３の実施の形態が示されていて、このメガネフレーム用部品１は、基材２とマーキング層３との間にアクリル樹脂層６を介装させたものであって、その他の構成は前記第２の実施の形態に示すものと同様である。
【００２１】
アクリル樹脂層６は、透明又は半透明のアクリル樹脂からなるものであって、このアクリル樹脂層６を透過して基材２の地肌を目視することができる。この場合、アクリル樹脂に顔料を添加して、アクリル樹脂層６に色を付しても良い。但し、基材２の表面を透過可能な色に制限される。
【００２２】
そして、この実施の形態に示すメガネフレーム用部品１にあっても、基材２の表面にアクリル樹脂層６を介してマーキング層３を積層し、マーキング層３にレーザ加工によって所定のパターンの溝４を形成し、溝４の底面に基材２の地肌を露出させ、このマーキング層３の表面に透明又は半透明樹脂からなる被覆層５を積層したので、被覆層５の表面側から被覆層５を透過してマーキング層３の格子状の溝４、及び溝４の底面の基材２の地肌をアクリル樹脂層６を介して目視することができることになる。従って、溝４の形状に対応した立体感のある格子状の模様が得られるとともに、被覆層５の色彩、マーキング層３の色彩、アクリル樹脂層６の色彩、基材２の色彩等が相俟って、深みのある鮮やかな色彩の格子状の模様が得られることになる。さらに、レーザ加工による極め細やかな模様を得ることができる。
【００２３】
なお、前記の説明においては、マーキング層３に格子状の溝４を設けて格子状の模様を構成したが、各種の文字、模様等の溝を設けて、その溝に対応した模様を構成するようにしても良い。また、前記の説明において、テンプルに本考案を適用したが、枠、ヨロイ、ブリッジ等に本考案を適用しても良いものである。
【００２４】
【考案の効果】
本考案によるメガネフレーム用部品は、基材の表面にマーキング層を積層し、マーキング層にレーザ加工により所定のパターンの溝を形成し、この溝の底面に基材の地肌を露出させるように構成したので、マーキング層の表面側からマーキング層の溝及び溝の底面の基材の地肌を目視できることになる。従って、溝の形状に対応した立体感のある模様が得られるとともに、マーキング層の色彩、基材の色彩等が相俟って、深みのある鮮やかな色彩の模様が得られることになる。さらに、レーザ加工による極め細やかな模様を得ることができることになる。
また、本考案によるメガネフレーム用部品は、基材の表面にマーキング層を積層し、マーキング層にレーザ加工により所定のパターンの溝を形成し、この溝の底面に基材の地肌を露出させ、このマーキング層の表面に透明又は半透明樹脂からなる被覆層を積層したので、被覆層の表面側から被覆層を透過してマーキング層の溝及び溝の底面の基材の地肌を目視することができることになる。従って、溝の形状に対応した立体感のある模様が得られるとともに、被覆層の色彩、マーキング層の色彩、基材の色彩等が相俟って、深みのある鮮やかな色彩の模様が得られることになる。
さらに、本考案によるメガネフレーム用部品は、基材の表面にアクリル樹脂層を介してマーキング層を積層し、マーキング層にレーザ加工によって所定のパターンの溝を形成し、溝の底面に基材の地肌を露出させ、このマーキング層の表面に透明又は半透明樹脂からなる被覆層を積層したので、被覆層の表面側から被覆層を透過してマーキング層の溝、及び溝の底面の基材の地肌をアクリル樹脂層を介して目視することができることになる。従って、溝の形状に対応した立体感のある格子状の模様が得られるとともに、被覆層の色彩、マーキング層の色彩、アクリル樹脂層の色彩、基材の色彩等が相俟って、深みのある鮮やかな色彩の模様が得られることになる。
【図面の簡単な説明】
【図１】本考案によるメガネフレーム用部品の第１の実施の形態を示した概略図である。
【図２】図１の断面図である。
【図３】本考案によるメガネフレーム用部品の第２の実施の形態を示した断面図である。
【図４】本考案によるメガネフレーム用部品の第３の実施の形態を示した断面図である。
【符号の説明】
１……メガネフレーム用部品
２……基材
３……マーキング層
４……溝
５……被覆層
６……アクリル樹脂層
【図１】
0003096995.tif 000003
【図２】
0003096995.tif 000004
【図３】
0003096995.tif 000005
【図４】
0003096995.tif 000006